(57)【要約】【課題】  ラップ回路の数を減らして構成を簡単にすると共に、ＳＥＣＡＭ方式の映像中間周波信号および音声中間周波信号を減衰することなく、ＰＡＬ方式の隣接チャンネルの音声中間周波信号及びＳＥＣＡＭ方式の隣接チャンネルの映像中間周波信号を減衰する。【解決手段】  第二のトラップ回路２ｂのトラップ周波数をＰＡＬ方式の音声中間周波の低域側に位置する隣接チャンネルの映像中間周波数の近傍に位置させ、第一のトラップ回路４を、ＰＡＬ方式の映像中間周波数の高域側に位置する隣接チャンネルの音声中間周波数近傍の第一の周波数又は第一の周波数よりも高い第二の周波数を減衰するように切り替え、ＳＥＣＡＭ方式の中間周波信号の周波数を正規の周波数よりも高い方にシフトしてＳＥＣＡＭ方式の音声中間周波信号よりも高域側に位置する隣接チャンネルの映像中間周波信号を第二の周波数に位置させた。【選択図】        図１
0003101832.tif 000002
【実用新案登録請求の範囲】
【請求項１】
ＰＡＬ方式又はＳＥＣＡＭ方式のテレビジョン信号を中間周波信号に周波数変換する混合器と、前記混合器の後段に設けられたＳＡＷフィルタと、前記混合器と前記ＳＡＷフィルタとの間に介挿された第一のトラップ回路及び第二のトラップ回路を備え、前記第二のトラップ回路のトラップ周波数を前記ＰＡＬ方式の音声中間周波の低域側に位置する隣接チャンネルの映像中間周波数の近傍に位置させ、前記第一のトラップ回路を、前記ＰＡＬ方式の映像中間周波数の高域側に位置する隣接チャンネルの音声中間周波数近傍の第一の周波数又は前記第一の周波数よりも高い第二の周波数を減衰するように切り替え、前記ＳＥＣＡＭ方式の中間周波信号の周波数を正規の周波数よりも高い方にシフトして前記ＳＥＣＡＭ方式の音声中間周波信号よりも高域側に位置する隣接チャンネルの映像中間周波信号を前記第二の周波数に位置させたことを特徴とする中間周波回路。
【請求項２】
前記第一の周波数を４０．４ＭＨｚと４１．４ＭＨｚとの間の周波数とし、前記第二の周波数をほぼ４１．９ＭＨｚとしたことを特徴とする請求項１に記載の中間周波回路。
【請求項３】
前記第二のトラップ回路のトラップ周波数を３０．９ＭＨｚと３１．９ＭＨｚとの間の周波数としたことを特徴とする請求項２に記載の中間周波回路。
【請求項４】
前記第一のトラップ回路はその入力端と出力端との間に介挿された直列抵抗と、互いに直列に接続されると共に、前記直列抵抗に並列接続された第一及び第二の容量素子と、前記第一の容量素子と前記第二の容量素子との接続点とグランドとの間に接続されるインダクタンス素子とを備えたブリッジＴ型トラップで構成され、前記インダクタンス素子のグランド側端子をスイッチ素子を介して接地するか又は第三の容量素子を介して接地するように切り替えたことを特徴とする請求項１又は２又は３に記載の中間周波回路。
【請求項５】
エミッタが接地され、コレクタが第一の抵抗を介して電源にプルアップされた第一のスイッチトランジスタを設け、前記スイッチ素子をスイッチダイオードで構成し、前記スイッチダイオードのカソードを接地すると共に、アノードを前記インダクタンス素子のグランド側端子に接続し、前記第一のスイッチトランジスタのコレクタと前記インダクタンス素子のグランド側端子との間に前記第三の容量素子と第二の抵抗とを並列接続したことを特徴とする請求項４に記載の中間周波回路。
【請求項６】
前記スイッチ素子を、エミッタが接地された第二のスイッチトランジスタで構成し、前記第二のスイッチトランジスタのコレクタを前記インダクタンス素子のグランド側端子に接続すると共に、第三の抵抗を介して電源にプルアップし、前記第三の容量素子を前記インダクタンス素子のグランド側端子とグランドとの間に接続したことを特徴とする請求項４に記載の中間周波回路。
【考案の詳細な説明】
【技術分野】
【０００１】
本考案は、中間周波回路に関し、詳しくは、欧州のＰＡＬ方式とＳＥＣＡＭ方式のテレビジョン信号を受信できるように構成された共用型テレビジョンチューナに好適な中間周波回路に関する。
【背景技術】
【０００２】
図４に従来の中間周波回路を示す。中間周波増幅回路（ＩＦ増幅回路）３１には混合器（図示せず）で周波数変換された中間周波信号が入力される。ＩＦ増幅回路３１は、差動増幅回路等によって、平衡型増幅回路として構成されている。
ＩＦ増幅回路３１の一方の出力端３１ａには、直列共振回路で構成された第一の中間周波同調回路（第一のＩＦ同調回路）３２の一端が接続され、この第一のＩＦ同調回路３２の他端にはさらにブリッジＴ型の第一のトラップ回路３３とブリッジＴ型の第二のトラップ回路３４とが並列に接続されている。
同様に、ＩＦ増幅回路３１の他方の出力端３１ｂにも、直列共振回路で構成された第二の中間周波同調回路（第二のＩＦ同調回路）３５の一端が接続され、この第二のＩＦ同調回路３５の他端にはさらにブリッジＴ型の第三のトラップ回路３６とブリッジＴ型の第四のトラップ回路３７とが並列に接続されている。
そして、第一のトラップ回路３３及び第二のトラップ回路３４の出力端３８及び第三のトラップ回路３６及び第四のトラップ回路３７の出力端３９がテレビジョン受信機側の中間周波増幅回路（図示せず）に接続されている。
【０００３】
第一のＩＦ同調回路３２及び第二のＩＦ同調回路３５の共振周波数は、中間周波数帯のほぼ中心の周波数（例えば、欧州仕様（ドイツ）のテレビジョンチューナーにおいては、ほぼ３６．１５ＭＨｚ）に設定されている。
【０００４】
次に、第一のトラップ回路３３は、信号伝送路に直列に設けられた抵抗４０と、この抵抗４０の両端にそれぞれ一端が接続された二つのコンデンサ３３ａ及び３３ｂと、この二つのコンデンサ３３ａ、３３ｂの他端同士の接続点とグランドとの間に接続されたコイル３３ｃとで構成されている。
同様に、第二のトラップ回路３４は、抵抗４０と、抵抗４０の両端にそれぞれ一端が接続された二つのコンデンサ３４ａ及び３４ｂと、この二つのコンデンサ３４ａ、３４ｂの他端同士の接続点とグランドとの間に接続されたコイル３４ｃとで構成されている。
【０００５】
次に、第三のトラップ回路３６は、信号伝送路に直列に設けられた抵抗４１と、この抵抗４１の両端にそれぞれ一端が接続された二つのコンデンサ３６ａ及び３６ｂと、この二つのコンデンサ３６ａ、３６ｂの他端同士の接続点とグランドとの間に接続されたコイル３６ｃとで構成されている。
同様に、第四のトラップ回路３７は、抵抗４１と、抵抗４１の両端にそれぞれ一端が接続された二つのコンデンサ３７ａ及び３７ｂと、この二つのコンデンサ３７ａ、３７ｂの他端同士の接続点とグランドとの間に接続されたコイル３７ｃとで構成されている。
また、第一のトラップ回路３３及び第二のトラップ回路３４の出力端３８とグランドとの間に、コンデンサ４２が設けられている。同様に、第三のトラップ回路３６及び第四のトラップ回路３７の出力端３９とグランドとの間にコンデンサ４３が設けられている。
【０００６】
ところで、欧州のＰＡＬ方式（例えばドイツの方式）のテレビジョンシステムでは、１チャンネルのテレビジョン信号の帯域が、ＶＨＦ帯とＵＨＦ帯とでは異なっており、ＶＨＦ帯では７ＭＨｚ、ＵＨＦ帯では８ＭＨｚとなっている。
この結果、ＶＨＦ帯の特定チャンネルのテレビジョン信号を受信した場合は、映像中間周波信号（周波数：３８．９ＭＨｚ）及び音声中間周波信号（周波数：３３．４ＭＨｚ）の近くに、一方の隣接チャンネルの音声中間周波信号（周波数：４０．４ＭＨｚ）及び他方の隣接チャンネルの映像中間周波信号（周波数：３１．９ＭＨｚ）がそれぞれ位置することになる。
また、ＵＨＦ帯の特定チャンネルのテレビジョン信号を受信した場合は、一方の隣接チャンネルの音声中間周波信号（周波数：４１．４ＭＨｚ）及び他方の隣接チャンネルの映像中間周波信号（周波数：３０．９ＭＨｚ）がそれぞれ位置することになる。
そのため、ＶＨＦ帯のテレビジョン信号又はＵＨＦ帯のテレビジョン信号のいずれを受信した場合においても、これらの隣接チャンネルの映像中間周波信号及び音声中間周波信号によって、受信したい特定チャンネルのテレビジョン信号が妨害されてしまうおそれがある。
【０００７】
そこで、例えば、第一のトラップ回路３３のトラップ周波数を、ＶＨＦ帯における一方の隣接チャンネルの音声中間周波信号の周波数（ｆ１＝４０．４ＭＨｚ）に、第二のトラップ回路３４のトラップ周波数をＶＨＦ帯における他方の隣接チャンネルの映像中間周波信号の周波数（ｆ２＝３１．９ＭＨｚ）になるようにあらかじめ設定する。
また、同様に、第三のトラップ回路３６のトラップ周波数を、ＵＨＦ帯における一方の隣接チャンネルの音声中間周波信号の周波数（ｆ３＝４１．４ＭＨｚ）に、第四のトラップ回路３７のトラップ周波数を、ＵＨＦ帯における他方の隣接チャンネルの映像中間周波信号の周波数（ｆ４＝３０．９ＭＨｚ）になるようにあらかじめ設定する。
このようにして、四つのトラップ回路によって、ＵＨＦ帯及びＶＨＦ帯でのそれぞれの隣接チャンネルの音声中間周波信号及び映像中間周波信号を減衰させるようにしていた（例えば、特許文献１参照。）。
【０００８】
【特許文献１】特開平１１−２２０６７０号公報（図５）
【考案の開示】
【考案が解決しようとする課題】
【０００９】
上記構成では、ＶＨＦ帯又はＵＨＦ帯のいずれのテレビジョン信号を受信した場合でも隣接チャンネルからの妨害を受けないようにするために四つのトラップ回路を設けているので、中間周波回路の構成が複雑となっていた。
また、欧州のテレビジョンシステムには仏国で採用しているＳＥＣＡＭ方式がある。これの映像中間周波数及び音声中間周波数はそれぞれ３２．７ＭＨｚ、３９．２ＭＨｚであることから、ＰＡＬ方式の中間周波数帯と帯域が重複しており、ＰＡＬ方式のテレビジョンチューナを共用することが可能である。しかし、ＳＥＣＡＭ方式の映像中間周波（３２．７ＭＨｚ）が第二のトラップ回路３４のトラップ周波数（３１．９ＭＨｚ）と近いことから、共用した場合にはＰＡＬ方式の映像中間周波信号が第二のトラップ回路３４によって減衰してしまうという問題があった。
【００１０】
本考案の中間周波回路の目的は、トラップ回路の数を減らして構成を簡単にすると共に、ＳＥＣＡＭ方式の映像中間周波信号および音声中間周波信号を減衰することなく、ＰＡＬ方式の隣接チャンネルの音声中間周波信号及びＳＥＣＡＭ方式の隣接チャンネルの映像中間周波信号を減衰することを目的とする。
【課題を解決するための手段】
【００１１】
上記の課題を解決するため、ＰＡＬ方式又はＳＥＣＡＭ方式のテレビジョン信号を中間周波信号に周波数変換する混合器と、前記混合器の後段に設けられたＳＡＷフィルタと、前記混合器と前記ＳＡＷフィルタとの間に介挿された第一のトラップ回路及び第二のトラップ回路を備え、前記第二のトラップ回路のトラップ周波数を前記ＰＡＬ方式の音声中間周波の低域側に位置する隣接チャンネルの映像中間周波数の近傍に位置させ、前記第一のトラップ回路を、前記ＰＡＬ方式の映像中間周波数の高域側に位置する隣接チャンネルの音声中間周波数近傍の第一の周波数又は前記第一の周波数よりも高い第二の周波数を減衰するように切り替え、前記ＳＥＣＡＭ方式の中間周波信号の周波数を正規の周波数よりも高い方にシフトして前記ＳＥＣＡＭ方式の音声中間周波信号よりも高域側に位置する隣接チャンネルの映像中間周波信号を前記第二の周波数に位置させた。
【００１２】
また、前記第一の周波数を４０．４ＭＨｚと４１．４ＭＨｚとの間の周波数とし、前記第二の周波数をほぼ４１．９ＭＨｚとした。
【００１３】
また、前記第二のトラップ回路のトラップ周波数を３０．９ＭＨｚと３１．９ＭＨｚとの間の周波数とした。
【００１４】
また、前記第一のトラップ回路はその入力端と出力端との間に介挿された直列抵抗と、互いに直列に接続されると共に、前記直列抵抗に並列接続された第一及び第二の容量素子と、前記第一の容量素子と前記第二の容量素子との接続点とグランドとの間に接続されるインダクタンス素子とを備えたブリッジＴ型トラップで構成され、前記インダクタンス素子のグランド側端子をスイッチ素子を介して接地するか又は第三の容量素子を介して接地するように切り替えた。
【００１５】
また、エミッタが接地され、コレクタが第一の抵抗を介して電源にプルアップされた第一のスイッチトランジスタを設け、前記スイッチ素子をスイッチダイオードで構成し、前記スイッチダイオードのカソードを接地すると共に、アノードを前記インダクタンス素子のグランド側端子に接続し、前記第一のスイッチトランジスタのコレクタと前記インダクタンス素子のグランド側端子との間に前記第三の容量素子と第二の抵抗とを並列接続した。
【００１６】
また、前記スイッチ素子を、エミッタが接地された第二のスイッチトランジスタで構成し、前記第二のスイッチトランジスタのコレクタを前記インダクタンス素子のグランド側端子に接続すると共に、第三の抵抗を介して電源にプルアップし、前記第三の容量素子を前記インダクタンス素子のグランド側端子とグランドとの間に接続した。
【考案の効果】
【００１７】
本考案の中間周波回路は、第二のトラップ回路のトラップ周波数をＰＡＬ方式の音声中間周波の低域側に位置する隣接チャンネルの映像中間周波数の近傍に位置させ、第一のトラップ回路を、ＰＡＬ方式の映像中間周波数の高域側に位置する隣接チャンネルの音声中間周波数近傍の第一の周波数又は第一の周波数よりも高い第二の周波数を減衰するように切り替え、ＳＥＣＡＭ方式の中間周波信号の周波数を正規の周波数よりも高い方にシフトしてＳＥＣＡＭ方式の音声中間周波信号よりも高域側に位置する隣接チャンネルの映像中間周波信号を第二の周波数に位置させたので、二つのトラップ回路によってＰＡＬ方式の映像中間周波信号の高域側に位置する隣接チャンネルの音声中間周波信号と、音声中間周波信号の低域側に位置する隣接チャンネルの映像中間周波信号と、ＳＥＣＡＭ方式の映像中間周波信号の低域側に位置する隣接チャンネルの音声中間周波信号と、音声中間周波信号の高域側に位置する隣接チャンネルの映像中間周波信号とを減衰できる。
【００１８】
また、第一の周波数を４０．４ＭＨｚと４１．４ＭＨｚとの間の周波数とし、第二の周波数をほぼ４１．９ＭＨｚとしたので、ＰＡＬ方式の映像中間周波信号の高域側に位置するＶＨＦ帯及びＵＨＦ帯の二つの隣接チャンネルの音声中間周波信号を減衰できる。
【００１９】
また、第二のトラップ回路のトラップ周波数を３０．９ＭＨｚと３１．９ＭＨｚとの間の周波数としたので、ＰＡＬ方式の音声中間周波信号の低域側に位置するＶＨＦ帯及びＵＨＦ帯の二つの隣接チャンネルの映像中間周波信号と、ＳＥＣＡＭ方式の映像中間周波信号の低域側に位置する隣接チャンネルの音声中間周波信号とを減衰できる。
【００２０】
また、第一のトラップ回路はその入力端と出力端との間に介挿された直列抵抗と、互いに直列に接続されると共に、直列抵抗に並列接続された第一及び第二の容量素子と、第一の容量素子と第二の容量素子との接続点とグランドとの間に接続されるインダクタンス素子とを備えたブリッジＴ型トラップで構成され、インダクタンス素子のグランド側端子をスイッチ素子を介して接地するか又は第三の容量素子を介して接地するように切り替えたので、第一のトラップ回路のトラップ周波数を二通りに切り替えられる。
【００２１】
また、エミッタが接地され、コレクタが第一の抵抗を介して電源にプルアップされた第一のスイッチトランジスタを設け、スイッチ素子をスイッチダイオードで構成し、スイッチダイオードのカソードを接地すると共に、アノードをインダクタンス素子のグランド側端子に接続し、第一のスイッチトランジスタのコレクタとインダクタンス素子のグランド側端子との間に第三の容量素子と第二の抵抗とを並列接続したので、第一のスイッチトランジスタをＰＡＬ方式とＳＥＣＡＭ方式のテレビジョン信号の受信に対応してオン／オフすれば第一のトラップ回路のトラップ周波数を二通りに切り替えられる。
【００２２】
また、スイッチ素子を、エミッタが接地された第二のスイッチトランジスタで構成し、第二のスイッチトランジスタのコレクタをインダクタンス素子のグランド側端子に接続すると共に、第三の抵抗を介して電源にプルアップし、第三の容量素子をインダクタンス素子のグランド側端子とグランドとの間に接続したので、第二のスイッチトランジスタをＰＡＬ方式とＳＥＣＡＭ方式のテレビジョン信号の受信に対応してオン／オフすれば第一のトラップ回路のトラップ周波数を二通りに切り替えられる。
【考案を実施するための最良の形態】
【００２３】
本考案の中間周波回路を図１に従って説明する。混合器１には、受信したＰＡＬ方式又はＳＥＣＡＭ方式のテレビジョン信号と、図示しない発振器からの局部発振信号とが入力される。これらのテレビジョン信号は混合器１で局部発振信号と混合されて中間周波信号に周波数変換さるが、ＰＡＬ方式のテレビジョン信号はその映像搬送波及び音声搬送波が図２のＡに示すようにそれぞれ正規の映像中間周波数（Ｐ：３８．９ＭＨ）、音声中間周波数（Ｓ：３３．４ＭＨｚ）となるように変換される。従って、映像中間周波信号の周波数は３８．９ＭＨｚとなり、音声中間周波信号の周波数は３３．４ＭＨｚとなる。また、図２のＡには図示しないが、映像中間周波数Ｐの高域側に位置する隣接チャンネルの音声中間周波信号の周波数は、帯域幅が７ＭＨｚのとき（ＶＨＦ帯のテレビジョン信号）では４０．４ＭＨｚ、帯域幅が８ＭＨｚのとき（ＵＨＦ帯のテレビジョン信号）では４１．４ＭＨｚとなる。また、音声中間周波数Ｓの低域側に位置する隣接チャンネルの映像中間周波信号の周波数は、帯域幅が７ＭＨｚのときでは３１．９ＭＨｚ、帯域幅が８ＭＨｚのときでは３０．９ＭＨｚとなる。
【００２４】
また、ＳＥＣＡＭ方式の正規の映像中間周波数Ｐと音声中間周波数Ｓとは図２のＢに示すようにそれぞれ３２．７ＭＨｚ、３９．２ＭＨｚであるが、ＳＥＣＡＭ方式のテレビジョン信号は、局部発振周波数をほぼ１．２ＭＨｚ低い方にシフトすることによって、映像搬送波及び音声搬送波が、図２のＣに示すように、それぞれ正規の映像中間周波数及び音声中間周波数よりも１．２ＭＨｚだけ高い周波数（Ｐ′：３３．９ＭＨｚ）及び（Ｓ′：４０．４ＭＨｚ）となるように変換される。従って、ＳＥＣＡＭ方式の映像中間周波信号の周波数は３３．９ＭＨｚ、音声中間周波信号の周波数は４０．４ＭＨｚとなる。これによって、音声中間周波信号Ｓ′の高域側に位置する隣接チャンネルの映像中間周波信号＋Ｐ′の周波数は４１．９ＭＨｚ、映像中間周波信号Ｐ′の低域側に位置する隣接チャンネルの音声中間周波信号−Ｓ′の周波数は３２．４ＭＨｚとなる。
【００２５】
ＳＥＣＡＭ方式の中間周波信号の周波数を１．２ＭＨｚ高い方にシフトする理由の一つは、正規の映像中間周波信号の周波数（３２．７ＭＨｚ）が後述するように第二のトラップ回路２ｂのトラップ周波数（３１．４ＭＨｚ）に近接し過ぎるのを避けるためと、もう一つの理由は、後段に設けられたＳＡＷフィルタ５、６をＰＡＬ方式と共用するために、特に帯域幅の低域側でＳＥＣＡＭ方式の映像中間周波信号が減衰するのを防ぐためである。
【００２６】
中間周波信号は次段の中間周波同調回路２に入力される。中間周波同調回路２には、中間周波帯のほぼ中心の周波数（例えば、３７ＭＨｚ）に同調する同調回路２ａと、第二のトラップ回路２ｂとが設けられ、第二のトラップ回路２ｂは、ＰＡＬ方式の音声中間周波数（３３．４ＭＨｚ）よりもほぼ２ＭＨｚの低域側に位置する３１．４ＭＨｚを減衰するようになっている（図２Ａの＋Ｐ参照）。この３１．４ＭＨｚという周波数は、音声中間周波数３３．４の低域側に位置する隣接チャンネルの二つの映像中間周波数（一つはＶＨＦ帯のもので３１．９ＭＨｚ、他の一つはＵＨＦ帯のもので３０．９ＭＨｚ）の近傍、即ちそれらのほぼ中心の周波数に相当する。
【００２７】
中間周波同調回路２を通過した中間周波信号は中間周波増幅回路３を経て第一のトラップ回路４に入力される。第一のトラップ回路４は、その入力端と出力端との間に介挿された直列抵抗４ａと、互いに直列に接続されると共に、直列抵抗に並列接続された第一及び第二の容量素子４ｂ、４ｃと、第一の容量素子４ｂと第二の容量素子４ｃとの接続点とグランドとの間に介挿されるインダクタンス素子４ｄとを備えたブリッジＴ型トラップ回路を基本とし、インダクタンス素子４ｄのグランド側端子とグランドとの間にはスイッチ素子４ｅが接続される。スイッチ素子４ｅはスイッチダイオードで構成され、そのカソードが接地される。
【００２８】
また、第一のトラップ回路４はエミッタが接地された第一のスイッチトランジスタ４ｇを有し、そのコレクタは第一の抵抗４ｈを介して電源Ｖｃｃにプルアップされ、また第三の容量素子４ｆと第二の抵抗４ｉとの並列回路によってインダクタンス素子４ｄのグランド側端子に接続される。そして、第一のスイッチトランジスタ４ｇはＰＡＬ方式のテレビジョン信号を受信するか又はＳＥＣＡＭ方式のテレビジョン信号を受信するかによってオフ又はオンとなるように切り替えられる。
【００２９】
即ち、ＰＡＬ方式のテレビジョン信号を受信するときは、第一のスイッチトランジスタ４ｇのベースに電圧を印加せずこれをオフとするので、スイッチダイオード４ｅは電源Ｖｃｃからの電圧によってオンとなり、インダクタンス素子４ｄのグランド側端子はダイオード４ｅによってほぼ接地される。また、ＳＥＣＡＭ方式のテレビジョン信号を受信するときは、第一のスイッチトランジスタ４ｇのベースに電圧を印加してこれをオンとするので、インダクタンス素子４ｄのグランド側端子は第三の容量素子４ｆを介して接地されると共に、スイッチダイオード４ｅはオフになる。従って、第一のトラップ回路４のトラップ周波数はスイッチダイオード４ｅがオンのときに低くなり、スイッチダイオード４ｅがオフとなってインダクタンス素子４ｄが第三の容量素子４ｆを介して接地されると高くなる。そして、トラップ周波数が低い場合の第一の周波数が４０．４ＭＨｚと４１．４ＭＨｚとの近傍、即ちそれらの間の周波数となるように直列抵抗４ａ、第一及び第二の容量素子４ｂ、４ｃ、インダクタンス素子４ｄの値によって設定される。また。トラップ周波数が高い第二の周波数がほぼ４１．９ＭＨｚとなるように第三の容量素子４ｆの値によって設定される。
【００３０】
よって、ＰＡＬ方式の受信時では、映像中間周波信号の高域側に位置するＶＨＦ帯及びＵＨＦ帯の隣接チャンネルの音声中間周波信号を減衰出来る。また、ＳＥＣＡＭ方式の受信時では、音声中間周波信号（周波数は４０．４ＭＨｚ）の高域側に位置する隣接チャンネルの映像中間周波信号（周波数は４１．９ＭＨｚ）を減衰できる。なお、ＳＥＣＡＭ方式の中間周波信号はほぼ１．２ＭＨｚ高い方にシフトされているので、その映像中間周波信号の周波数（３３．９ＭＨｚ）は第二のトラップ回路２ｂのトラップ周波数に対してほぼ２．５ＭＨｚ離れているので減衰されることはない。
【００３１】
なお、第二のトラップ回路２ｂのトラップ周波数は３１．４ＭＨｚになっているので、ＰＡＬ方式の音声中間周波信号（周波数は３３．４ＭＨｚ）の低域側に位置する隣接チャンネルの映像中間周波信号（周波数は３０．９ＭＨｚと３１．９ＭＨｚ）と、ＳＥＣＡＭ方式の映像中間周波信号（周波数は３３．９ＭＨｚ）の低域側に位置する隣接チャンネルの音声中間周波信号（周波数は３２．４ＭＨｚ）とを減衰出来る。
【００３２】
第一のトラップ回路４に次段にはＳＡＷフィルタ５、６が並設される。一方のＳＡＷフィルタ５はＰＡＬ方式とＳＥＣＡＭ方式の映像中間周波信号（周波数はそれぞれ３８．９ＭＨｚ、３３．９ＭＨｚ）をピーク値からほぼ６ｄＢ低下で通過する広帯域特性を有し、他方のＳＡＷフィルタ６はＰＡＬ方式とＳＥＣＡＭ方式の音声中間周波信号（周波数はそれぞれ３３．４ＭＨｚ、４０．４ＭＨｚ）を狭帯域で通過する特性を有する。
【００３３】
これら二つのＳＡＷフィルタ５、６を通過した中間周波信号はその次段の復調器７によって復調されて映像信号及び音声信号に変換される。
【００３４】
図３は、第一のトラップ回路４の別な構成を示す。この構成ではスイッチ素子４ｅは第二のスイッチトランジスタで構成され、そのエミッタは接地され、コレクタはインダクタンス素子４ｄのグランド側端子に接続されると共に、第三の抵抗４ｊによって電源Ｖｃｃにプルアップされる。そして、第三の容量素子４ｆはインダクタンス素子４ｄのグランド側端子とグランドとの間に接続される。この構成では、第二のスイッチトランジスタをオンとすればトラップ周波数は第一の周波数となり、オフとすれば第二の周波数となり、第二のスイッチトランジスタのみでトラップ周波数を切り替えられる。
【図面の簡単な説明】
【００３５】
【図１】本考案の中間周波回路の構成を示す回路図である。
【図２】本考案の中間周波回路における周波数関係を示す図である。
【図３】本考案の中間周波回路における第一のトラップ回路の構成を示す回路図である。
【図４】従来の中間周波回路の構成を示す回路図である。
【符号の説明】
【００３６】
１：混合器
２：中間周波同調回路
２ａ：並列同調回路
２ｂ：第二のトラップ回路
３：中間周波増幅回路
４：第一のトラップ回路
４ａ：直列抵抗
４ｂ：第一の容量素子
４ｃ：第二の容量素子
４ｄ：インダクタンス素子
４ｅ：スイッチ素子
４ｆ：第三の容量素子
４ｇ：第一のスイッチトランジスタ
４ｈ：第一の抵抗
４ｉ：第二の抵抗
４ｊ：第三の抵抗
５、６：ＳＡＷフィルタ
７：復調器
【図１】
0003101832.tif 000003
【図２】
0003101832.tif 000004
【図３】
0003101832.tif 000005
【図４】
0003101832.tif 000006